(57)【特許請求の範囲】
【請求項１】
壁本体の室外側の面に固定され、ブロック状の外装部材を支持する支持部材において、
この支持部材は、
前記壁本体の外面に沿って設けられる支持部材本体部と、この支持部材本体部の上端から室外に向かって延びる上部延出部と、この上部延出部の先端から斜め上方に室内から離間するように延び前記外装部材が係止される傾斜部と、前記支持部材本体部の下端から室外に向かって前記上部延出部に略平行に延びる下部延出部と、が１枚板によって構成され、
前記上部延出部の前記支持部材本体部からの突出量は、前記下部延出部の前記支持部材本体部からの突出量に比べて、長く設定されていることにより、上下に連続して配置可能であることを特徴とする支持部材。
【請求項２】
前記支持部材本体部は、室外に向かって突出している突出部を含み、
前記突出部は、前記外装部材に当接可能であることを特徴とする請求項１記載の支持部材。
【請求項３】
前記突出部は、波板状に形成されていることを特徴とする請求項２記載の支持部材。
【発明の詳細な説明】
【技術分野】
【０００１】
本発明は、建築物の外壁を装飾する煉瓦やタイル等を支持するための支持部材に関する。
【背景技術】
【０００２】
住居等の建築物の外壁を煉瓦やタイル等のブロックによって装飾することが知られている。このような技術として特許文献１に開示された技術が提案されている。
【０００３】
図５を参照する。図５は、特許文献１の図２（ａ）を左右反転させて再掲した図である。符号は、適宜振り直した。
【０００４】
住宅の壁１２０は、壁本体１３０の室外側の面に複数の第１支持部材１５０ａが固定され、これらの第１支持部材１５０ａ間に第２支持部材１５０ｂが載せられ、これらの第２支持部材１５０ｂによってブロック状の煉瓦１２４が複数支持され、これらの煉瓦１２４の間に存する隙間が目地材１２５によって埋められてなる。
【０００５】
第２支持部材１５０ｂよりも小さな第１支持部材１５０ａを先に壁本体１３０に固定し、これらの第１支持部材１５０ａに長尺状の第２支持部材１５０ｂを載せる。小さな第１支持部材１５０ａを正確な位置に固定した上で第２支持部材１５０ｂを載置することにより、煉瓦１２４を正確な位置に簡単に配置することができる。
【０００６】
ところで、このような壁１２０を迅速且つ正確に組み立てることができれば、組み立てにかかるコストを安価にすることができ望ましい。
【先行技術文献】
【特許文献】
【０００７】
【特許文献１】特開２００３−１４７９３６公報
【発明の概要】
【発明が解決しようとする課題】
【０００８】
本発明は、建築物の壁を迅速且つ正確に組み立てるための技術の提供を課題とする。
【課題を解決するための手段】
【０００９】
請求項１による発明によれば、壁本体の室外側の面に固定され、ブロック状の外装部材を支持する支持部材において、
この支持部材は、
前記壁本体の外面に沿って設けられる支持部材本体部と、この支持部材本体部の上端から室外に向かって延びる上部延出部と、この上部延出部の先端から斜め上方に室内から離間するように延び前記外装部材が係止される傾斜部と、前記支持部材本体部の下端から室外に向かって前記上部延出部に略平行に延びる下部延出部と、が１枚板によって構成され、
前記上部延出部の前記支持部材本体部からの突出量は、前記下部延出部の前記支持部材本体部からの突出量に比べて、長く設定されていることにより、上下に連続して配置可能であることを特徴とする支持部材が提供される。
【００１０】
請求項２に記載のごとく、好ましくは、前記支持部材本体部は、室外に向かって突出している突出部を含み、
前記突出部は、前記外装部材に当接可能である。
【００１１】
請求項３に記載のごとく、好ましくは、前記突出部は、波板状に形成されている。
【発明の効果】
【００１２】
請求項１に係る発明では、支持部材は、上下の位置にそれぞれ室外に向かって略平行に延びる上部延出部及び下部延出部を有している。このため、上部延出部の上面に、隣り合う支持部材の下部延出部を載置可能である。即ち、壁本体の外面に対して支持部材を敷き詰めることができる。このため、最下段の支持部材を正確な位置に取り付けることにより、その他の支持部材は、１つ下の支持部材に載せるだけで正確な位置に位置決めすることができる。各段毎に位置決めの作業を行う必要がないため、迅速に壁の組み立て作業を行うことができる。従って、迅速且つ正確に組み立てることができる建築物の壁構造を提供することができる。加えて、支持部材を壁本体の外面に対して敷き詰めることができるため、室内側への水の浸入を抑制できる。
【００１３】
さらに、支持部材は、１枚板によって構成される。このため、部品点数を削減することができる。部品点数を少なくすることにより、壁の組み立てに必要な工程を削減することができ、この点からも組立の迅速性に寄与することができる。加えて、１枚板であっても、これらを連続して配置することにより、支持部材全体で外装部材の重さを支持することができる。
【００１４】
請求項２に係る発明では、室外に向かって突出している突出部は、外装部材に当接可能である。これにより外装部材が壁本体に対して傾くことを抑制することができる。これにより、建築物の外観性を高めることができる。
【００１５】
請求項３に係る発明では、突出部は、波板状に形成されている。これにより、外装部材の裏面と突出部とを多くの接点によって当接させることができる。外装部材のがたつきをより確実に抑制することができる。加えて、波板状とすることにより、夏期の高温時に支持部材が熱の影響により膨張した場合であっても、この熱伸びを吸収するクッションの役割を果たす。
【図面の簡単な説明】
【００１６】
【図１】本発明の実施例による支持部材が用いられた建築物の正面図である。
【図２】図１の２部拡大図である。
【図３】図２の３−３線断面図である。
【図４】図３に示された第１支持部材、第２支持部材、外装部材の分解図である。
【図５】従来の技術の基本構成について説明する図である。
【発明を実施するための形態】
【００１７】
本発明の実施の形態を添付図に基づいて以下に説明する。図中Ｃｅは室内、Ｏｕは屋外を示している。
＜実施例＞
【００１８】
図１及び図２を参照する。本発明による支持部材は、例えば、住宅１０（建築物１０）の壁２０に採用される。
【００１９】
図３を参照する。壁２０は、地面から立ち上げられた壁本体３０の室外側の面に複数の支持部材４０，５０が固定され、これらの支持部材４０，５０によって煉瓦２４（外装部材２４）が支持され、これらの煉瓦２４の間に存する隙間が目地材２５によって埋められてなる。
【００２０】
壁本体３０は、例えば、スタッド（stud）３１の外面に防水シート３２が設けられ、この防水シート３２の外面に胴縁３３が設けられてなる。
【００２１】
支持部材４０，５０は、素材に溶融亜鉛-アルミニウム-マグネシウム合金めっき鋼板（ＪＩＳ  Ｇ  ３３２３  ２０１２）が用いられ、水平方向（図面表裏方向）に延びる長尺状の部材である。支持部材４０，５０は、１枚板をプレス成形により所定の形状に形成されている。即ち、支持部材４０，５０は、１つの部材によって構成されている。支持部材４０，５０は、上下に連続して配置されていると共に、水平方向へも連続して配置されている。即ち、壁本体３０の外面は、ほぼ全域に亘って支持部材４０，５０によって覆われている。
【００２２】
支持部材４０，５０は、それぞれ形状の異なる第１の支持部材４０と、第２の支持部材５０と、からなる。第１の支持部材４０は、スターターと呼ばれ、最下段にのみ配置されている。即ち、最下段以外には第２の支持部材５０が配置されている。
【００２３】
図４を併せて参照する。第１の支持部材４０は、壁本体３０の外面に沿って設けられた第１支持部材本体部４１（支持部材本体部４１）と、この第１支持部材本体部４１の上端から室外に向かって略垂直に延びる第１上部垂直部４２（上部垂直部４２・上部延出部４２）と、この第１上部垂直部４２の先端から斜め上方に室内から離間するように延びる第１傾斜部４３（傾斜部４３）と、第１支持部材本体部４１の下端から室外に向かって略垂直に延びる第１下部垂直部４４（下部垂直部４４・下部延出部４４）と、からなる。
【００２４】
第２の支持部材５０は、壁本体３０の外面に沿って設けられた第２支持部材本体部５１（支持部材本体部５１）と、この第２支持部材本体部５１の上端から室外に向かって略垂直に延びる第２上部垂直部５２（上部垂直部５２・上部延出部５２）と、この第２上部垂直部５２の先端から斜め上方に室内から離間するように延びる第２傾斜部５３（傾斜部５３）と、第２支持部材本体部５１の下端から室外に向かって略垂直に延びる第２下部垂直部５４（下部垂直部５４・下部延出部５４）と、からなる。
【００２５】
第２支持部材本体部５１は、室外に向かって突出している突出部５１ａを含む。突出部５１ａは、凹凸が連続して形成されている。突出部５１ａは、波板状に形成されているということもできる。
【００２６】
支持部材４０，５０は、それぞれ支持部材本体部４１，５１を貫通した釘２６，２７によって壁本体３０に固定されている。
【００２７】
なお、支持部材４０，５０を壁本体３０に固定するためには、釘２６，２７の他にビス等も用いることができる。支持部材４０，５０を壁本体３０に固定するための部材は、任意の物を選択することができる。
【００２８】
ブロック状の煉瓦２４は、支持部材４０，５０に対向する面（裏面、室内側の面）に、傾斜部４３，５３に係止されるスリット状の係止部２４ａを有している。煉瓦２４は、係止部２４ａを介して支持部材４０，５０に係止されている。１つの支持部材４０，５０には、それぞれ複数の煉瓦２４が係止されている。
【００２９】
煉瓦２４の裏面２４ｂの上端及び下端は、それぞれ突出部５１ａに当接している。換言すると、上下に隣り合う煉瓦２４のうち、第２の支持部材５０に対向する面２４ｂは、少なくとも一部がそれぞれ突出部５１ａに当接している。
【００３０】
目地材２５は、隣り合う煉瓦２４の間、及び、突出部５１ａの表面によって構成された隙間に充填されている。即ち、表面が波板状に形成された突出部５１ａは、隣り合う煉瓦２４によって形成された隙間に臨んでいる。
【００３１】
壁２０の組み立て方法の一例を説明する。第１の支持部材４０は、墨等によって壁本体３０に水平な線を書いた上で、この線に沿って壁本体３０に釘２６を介して固定される。第１の支持部材４０が固定されたら、第２の支持部材５０を第１の支持部材４０の上部に載置する。より詳細には、第１上部垂直部４２の上面に第２下部垂直部５４を載置する。載置した後に、釘２７によって第２の支持部材５０を壁本体３０に固定する。第２の支持部材５０の上部には、第２の支持部材５０が載置される。より詳細には、第２上部垂直部５２の上面に第２下部垂直部５４が載置される。載置した後に、釘２７によって第２の支持部材５０を壁本体３０に固定する。以後、第２の支持部材５０を上部に連続して載置すると共に固定する。
【００３２】
壁本体３０に支持部材４０，５０が固定されたら、支持部材４０，５０に煉瓦２４を取り付ける。煉瓦２４の係止部２４ａを傾斜部４３，５３に係止させる。
【００３３】
煉瓦２４を係止させたら、煉瓦２４の間に存する隙間に目地材２５を充填する。
【００３４】
以上の構成からなる本発明は、以下の効果を奏する。
【００３５】
支持部材４０，５０は、上下の位置にそれぞれ室外に向かって略垂直に延びる上部垂直部４２，５２及び下部垂直部４４，５４を有している。加えて、上部垂直部４２，５２の上面に、隣り合う第２の支持部材５０の第２下部垂直部５４が載置されている。即ち、壁本体３０の外面に対して支持部材４０，５０が敷き詰められている。このため、最下段の第１の支持部材４０を正確な位置に取り付けることにより、その他の第２の支持部材５０は、１つ下の支持部材４０，５０に載せるだけで正確な位置に位置決めされる。各段毎に位置決めの作業を行う必要がないため、迅速に壁の組み立て作業を行うことができる。従って、迅速且つ正確に組み立てることができる建築物の壁構造を提供することができる。加えて、支持部材４０，５０が壁本体３０の外面に対して敷き詰められているため、室内側への水の浸入を抑制できる。
【００３６】
さらに、支持部材４０，５０は、１枚板によって構成される。このため、部品点数を削減することができる。部品点数を少なくすることにより、壁の組み立てに必要な工程を削減することができ、この点からも組立の迅速性に寄与することができる。加えて、１枚板であっても、これらが連続して配置されることにより、支持部材４０，５０全体で煉瓦２４の重さを支持することができる。
【００３７】
さらに、煉瓦２４は、支持部材４０，５０に対向する面に、傾斜部４３，５３に係止されるスリット状の係止部２４ａを有している。即ち、煉瓦２４を裏面側から支持することにより、煉瓦２４の上下の面の全体に目地材２５を充填することができる。多くの目地材２５を充填することにより水の室内側への浸入を抑制できる。
【００３８】
本発明によれば、迅速且つ正確に第２の支持部材５０の位置決めを行うことができ、且つ、水の室内側への浸入を抑制することのできる建築物の壁構造を少ない部品点数によって達成することができる。
【００３９】
さらに、煉瓦２４の第２の支持部材５０に対向する面２４ｂは、少なくとも一部が突出部５１ａに当接している。煉瓦２４は、係止部２４ａにおいて係止されると共に裏面２４ｂの一部が突出部５１ａに当接する。これにより煉瓦２４が壁本体３０に対して傾くことを抑制することができる。これにより、住宅１０の外観性を高めることができる。
【００４０】
さらに、上下に隣り合う煉瓦２４の、第２の支持部材５０に対向する面は、少なくとも一部がそれぞれ突出部５１ａに当接している。煉瓦２４を基準とすると、煉瓦２４の裏面２４ｂは、上下に２カ所がそれぞれ異なる突出部５１ａに当接している。これにより煉瓦２４が壁本体３０に対して傾くことをより抑制することができる。これにより、住宅１０の外観性をさらに高めることができる。
【００４１】
さらに、突出部５１ａは、波板状に形成されている。これにより、煉瓦２４の裏面２４ｂと突出部５１ａとを多くの接点によって当接させることができる。煉瓦２４のがたつきをより確実に抑制することができる。加えて、波板状とすることにより、夏期の高温時に第２の支持部材５０が熱の影響により膨張した場合であっても、この熱伸びを吸収するクッションの役割を果たす。
【００４２】
さらに、波板状に形成された突出部５１ａは、隣り合う煉瓦２４によって形成された隙間に臨んでいる。目地材２５は、この隙間に充填されている。突出部５１ａが波板状に構成されているため、目地材２５と突出部５１ａとの接触面積を広く確保することができる。目地材２５と突出部５１ａとの間に水が浸入した場合であっても、この部位における水の移動が抑制され、壁本体３０側へのさらなる浸入を抑制することができる。
【００４３】
さらに、第２上部垂直部５２の室外側への突出量Ｌ１（図４参照）は、第２下部垂直部５４の室外側への突出量Ｌ２（図４参照）に比べて、長く設定されている。これにより、上部に配置される第２の支持部材５０を確実に載せることができ、第２の支持部材５０及び煉瓦２４の位置決めをより迅速且つ正確に行うことができる。
【００４４】
尚、本発明による支持部材は、住宅の外壁を例に説明したが、住宅以外の建築物や外壁以外の壁であっても適用可能である。
【００４５】
さらに、外装部材には、煉瓦の他、タイルを用いることもできる。即ち、ブロック状であり建築物の意匠性を高めることのできる素材であれば、外装部材は、これらのものに限られない。
【００４６】
本発明の作用及び効果を奏する限りにおいて、本発明は実施例に限られない。
【産業上の利用可能性】
【００４７】
本発明の支持部材は、住宅の外壁に好適である。
【符号の説明】
【００４８】
３０…壁本体
４０…第１の支持部材（支持部材）
４１…第１支持部材本体部（支持部材本体部）
４２…第１上部垂直部（上部垂直部・上部延出部）
４３…第１傾斜部（傾斜部）
４４…第１下部垂直部（下部垂直部・下部延出部）
５０…第２の支持部材（支持部材）
５１…第２支持部材本体部（支持部材本体部）
５１ａ…突出部
５２…第２上部垂直部（上部垂直部・上部延出部）
５３…第２傾斜部（傾斜部）
５４…第２下部垂直部（下部垂直部・下部延出部）
【図１】
0006410377.tif 000002
【図２】
0006410377.tif 000003
【図３】
0006410377.tif 000004
【図４】
0006410377.tif 000005
【図５】
0006410377.tif 000006